(57)【要約】【課題】使用停止後にイオン化した空気が滞留することがなく、滞留するイオン化した空気による構成部品の劣化・腐食を防止する除電除塵装置を提供する。【解決手段】トリガースイッチＳＷ１からの起動制御信号ＳＧ１の立ち下がり信号に応答して、放電制御回路部２７は放電針２２とノズルＮ間への放電電圧の印加を停止した。このとき、電磁弁制御回路部１７も、起動制御信号ＳＧ１の立ち下がり信号に応答して、補助タイミング信号を生成して、電磁弁１６を予め設定した時間の間、開状態にした後、閉状態にする。そして、放電終了時においてイオン生成室に残っているイオン化された空気を吐出口から吐出して、イオン生成室内にイオン化した空気が残らないようにする。【選択図】図３
2010000484.tif 000002
【特許請求の範囲】
【請求項１】
出射口が設けられるイオン生成室と、
前記イオン生成室内に設けられた放電針と、
前記放電針に電圧を印加してイオンを発生させる電圧印加手段と、
空気供給源からの空気を供給して前記イオンを前記出射口から除電除塵対象物へ吹き付ける空気供給手段と、
前記放電針の針先付近に対して、前記空気を供給する第１状態と、前記空気の供給を停止する第２状態とを繰り返すように前記空気供給手段を動作させる空気制御手段と
を備えた除電除塵装置であって、
前記電圧印加手段による前記放電針への前記電圧の印加を停止させた際、
前記空気制御手段は、前記電圧の印加を停止した時点で、前記空気の供給が停止の場合、前記電圧の印加を停止した後に、空気を供給することを特徴とする除電除塵装置。
【請求項２】
請求項１に記載の除電除塵装置において、
前記空気制御手段は、前記電圧の印加を停止した時点で、前記空気の供給が停止された場合、前記電圧の印加を停止した後に、予め設定される期間、空気を供給するための補助動作を、前記空気供給手段に行わせることを特徴とする除電除塵装置。
【請求項３】
請求項２に記載の除電除塵装置において、
前記空気供給手段に行わせる前記空気制御手段の前記補助動作は、前記電圧の印加を停止した時点で、前記空気の供給が停止された場合、前記電圧の印加を停止した後に、前記第１状態を終えて終了することを特徴とする除電除塵装置。
【請求項４】
請求項１または２に記載の除電除塵装置において、
前記空気制御手段は、前記第２状態の後、前記第１状態となる空気供給制御を１周期として、この１周期単位で空気供給制御をすることを特徴する除電除塵装置。
【請求項５】
請求項２乃至４のいずれか１項に記載の除電除塵装置において、
前記第１状態の時間を変更する変更手段を備え、
前記空気制御手段の前記補助動作での前記予め設定される期間は、前記変更手段により変更される前記第１状態の時間であることを特徴とする除電除塵装置。
【発明の詳細な説明】
【技術分野】
【０００１】
本発明は、除電除塵装置に関する。
【背景技術】
【０００２】
電子部品、フィルムの表面、塗装表面等の除電除塵対象物に付着した微細な塵を除去する装置として除電除塵装置が知られている。除電除塵装置は、放電針に高電圧を印加してコロナ放電を発生させ空気をイオン化させるとともに、このイオン化された空気を、除電除塵対象物に吹き付けることによって付着した微細な塵を除去するものである。
【０００３】
一般に、除電除塵装置においては、より短時間に効率よく除電除塵対象物に付着した微細な塵を除去することが要求されている。そのため、この種の除電除塵装置においては、イオン化された空気を除電除塵対象物に吹き付ける際、その吹き付け力（噴射力）を、周期的に強弱を加えることによって付着した微細な塵を効率よく除去するものが種々提案されている（特許文献１、２）。
【０００４】
そして、周期的に強弱を加えたイオン化された空気を除電除塵対象物に吹き付ける方法として、例えば、高電圧を終始印加してイオン化した空気を生成し続けた状態で、該イオン化した空気を、断続的（周期的）に除電除塵対象物に吹き付ける方法が知られている。つまり、所定時間経過する毎に、それまで生成したイオン化した空気を短時間に一斉噴射して塵を除去するようにしたものである。これによって、大量のイオン化された空気が、一挙に除電除塵対象物に対して吹き付けられて除塵効率を高めている。
【特許文献１】特開平５−１５８６２号公報
【特許文献２】特開２００８−６２１５３号公報
【発明の開示】
【発明が解決しようとする課題】
【０００５】
ところで、所定のタイミングで、それまでに生成したイオン化した空気を短時間に一斉噴射する除電除塵装置においては、ユーザが、トリガースイッチをオフ操作した時、イオン化した空気の生成は停止する。この時、イオン化した空気の噴出動作も停止される。
【０００６】
詳述すると、除電除塵装置は、図１１に示すように、トリガースイッチに基づく起動制御信号ＳＧ１がオンからオフとなると、その起動制御信号ＳＧ１のオンからオフの立ち下がり信号に応答して、放電針に印加する放電電圧Ｖを停止してイオン化した空気の生成を停止する。また、除電除塵装置は、起動制御信号ＳＧ１のオンからオフの立ち下がり信号に応答して、所定時間経過する毎に、それまで生成したイオン化した空気を一定の短時間Ｔｓに一斉噴射させるためのタイミング信号ＳＧ２の生成を停止し、以後、イオン化した空気の一斉噴射を停止するようになっている。
【０００７】
この時、ユーザが、イオン化した空気を短時間Ｔｓに一斉噴射するタイミング前に、トリガースイッチをオフ操作した時、その間に生成されたイオン化した空気は噴出されず、除電除塵装置の本体ケース内に残ったままとなる。本体ケース内にイオン化した空気が残ったままになると、イオン化した空気（オゾン）が除電除塵装置内の樹脂または金属からなる構成部品を劣化・腐食させるおそれがあった。
【０００８】
そこで、これを解消すべく、別の方法として、イオン化した空気を断続的に生成し、そのイオン化した空気を生成している期間、そのイオン化した空気を除電除塵対象物に吹き付けるようにして塵を除去する方法が考えられる。
【０００９】
この場合、除電除塵装置は、図１２に示すように、トリガースイッチに基づく起動制御信号ＳＧ１がオン状態のとき、放電針に放電電圧Ｖを印加する期間と、とともにイオン化した空気を一斉噴射させるためのタイミング（タイミング信号ＳＧ２）を同じにする。そして、トリガースイッチに基づく起動制御信号ＳＧ１がオンからオフとなると、その時点から放電電圧Ｖの印加を停止する。
【００１０】
しかしながら、この場合、タイミング信号ＳＧ２が出力されている短い期間Ｔｓに、放電電圧Ｖが印加され空気がイオン化されるだけなので、イオン化される空気の量は非常に少ない。その結果、除電除塵対象物に付着した塵に対する除電効果が著しく低下する。
【００１１】
本発明は、上記問題を解決するためになされたものであり、その目的は、使用停止後にイオン化した空気が滞留することがなく、滞留するイオン化した空気による構成部品の劣化・腐食を防止することのできる除電除塵装置を提供することにある。
【課題を解決するための手段】
【００１２】
請求項１に記載の発明は、出射口が設けられるイオン生成室と、前記イオン生成室内に設けられた放電針と、前記放電針に電圧を印加してイオンを発生させる電圧印加手段と、空気供給源からの空気を前記イオンを前記出射口から除電除塵対象物へ吹き付ける空気供給手段と、前記放電針の針先付近に対して、前記空気を供給する第１状態と、前記空気の供給を停止する第２状態とを繰り返すように前記空気供給手段を動作させる空気制御手段とを備えた除電除塵装置であって、
前記電圧印加手段による前記放電針への前記電圧の印加を停止させた際、前記空気制御手段は、前記電圧の印加を停止した時点で、前記空気の供給が停止の場合、前記電圧の印加を停止した後に、空気を供給する。
【００１３】
請求項２に記載の発明は、請求項１に記載の除電除塵装置において、前記空気制御手段は、前記電圧の印加を停止した時点で、前記空気の供給が停止された場合、前記電圧の印加を停止した後に、予め設定される期間、空気を供給するための補助動作を、前記空気供給手段に行わせる。
【００１４】
請求項３に記載の発明は、請求項２に記載の除電除塵装置において、前記空気供給手段に行わせる前記空気制御手段の前記補助動作は、前記電圧の印加を停止した時点で、前記空気の供給が停止された場合、前記電圧の印加を停止した後に、前記第１状態を終えて終了する。
【００１５】
請求項４に記載の発明は、請求項１または２に記載の除電除塵装置において、前記空気制御手段は、前記第２状態の後、前記第１状態となる空気供給制御を１周期として、この１周期単位で空気を供給制御する。
【００１６】
請求項５に記載の発明は、請求項２乃至４のいずれか１項に記載の除電除塵装置において、前記第１状態の時間を変更する変更手段を備え、前記空気制御手段の前記補助動作での前記予め設定される期間は、前記変更手段により変更される前記第１状態の時間である。
【発明の効果】
【００１７】
請求項１に記載の発明によれば、空気制御手段は、放電針への電圧の印加を停止した時、その停止と同時またはその停止から所定時間経過後に、空気供給手段による空気の供給を停止するようにしたので、電圧の印加を停止の直前に放電針から発生したイオンは射出口から吐き出される。従って、イオン生成室には、イオン生成室に残っているイオン化された空気が残ることはない。その結果、イオン化した空気が除電除塵装置内に留まって、装置内の樹脂または金属からなる構成部品を劣化・腐食させる虞はない。
【００１８】
請求項２に記載の発明によれば、空気制御手段は、電圧印加手段による放電針への電圧の印加が停止した際に、空気供給手段による空気の供給を予め定めた期間行った後に空気の供給を停止するようにした。
【００１９】
請求項３に記載の発明によれば、空気制御手段は、電圧印加手段による放電針への電圧の印加が停止した際に、空気供給手段に対して第１状態を終えて空気の供給を停止するようにした。従って、空気制御手段による制御が容易となり、その負荷は、軽減される。
【００２０】
請求項４に記載の発明によれば、空気制御手段は、電圧印加手段による放電針への電圧の印加が停止した際に、空気供給手段に対して第１状態と第２状態とからなる１周期の動作を終えて空気の供給を停止するようにした。従って、空気制御手段による制御が容易となり、その負荷は、軽減される。
【００２１】
請求項５に記載の発明によれば、除電除塵対象物に応じて第１状態の時間を変更できる。しかも、空気制御手段による補助動作における、予め設定された空気の供給期間を、変更手段で設定した第１状態の時間と同じにしたので、空気制御手段の負荷は軽減される。
【発明を実施するための最良の形態】
【００２２】
以下、本発明を具体化した除電除塵装置の一実施形態を図面に従って説明する。
図１に示すように、除電除塵装置１０は、手持ち式、所謂ガン（ピストル）形状をなし、その本体ケース１１は、筒形状の胴部１１ａと、その胴部１１ａの基端部から下方に延出形成された把手１１ｂを有している。本体ケース１１の胴部１１ａは、先端部が先細形状に形成され、その先端に吐出口１２が開口形成され、その吐出口１２にはノズルＮが取着されている。そして、ノズルＮからイオン化した空気が断続的に噴射されるようになっている。
【００２３】
胴部１１ａのノズルＮ側の側面には、照光ランプＬが設けられている。照光ランプＬは、発光ダイオードよりなり、ノズルＮから噴射したイオン化した空気を除電除塵対象物に吹き付けるとき、その除電除塵対象物の吹き付け場所にその可視光線を照射するように配置されている。
【００２４】
また、胴部１１ａの一側面には、変更手段としての間欠モード設定スイッチＳＷ１及び点灯モード設定スイッチＳＷ２が設けられている。間欠モード設定スイッチＳＷ１は、周期的に強弱を加えたイオン化された空気を、ノズルＮから吐出する際の吐出タイミングを設定するためのスイッチである。点灯モード設定スイッチＳＷ２は、照光ランプＬの複数の表示態様の中から１つを設定するためのスイッチである。
【００２５】
なお、胴部１１ａの上面基端部には、環状の掛け止め１３が延出形成され、除電除塵装置１０を吊下する際に、フック（図示せず）に引っ掛けられるようになっている。
本体ケース１１の把手１１ｂには、トリガー１４が設けられている。トリガー１４は把手１１ｂを握った手の指で押されえると、本体ケース１１内に没入して、図２に示す同ケース１１内に設けられた第１トリガー信号出力手段及び第２トリガー信号出力手段としてのトリガースイッチＳＷ３をオフからオンさせるようになっている。また、トリガー１４は、指をトリガー１４から離すと元の状態に復帰し、トリガースイッチＳＷ３をオンからオフにする。トリガースイッチＳＷ３は、自動復帰型のスイッチであって、トリガー１４が指で押されている間オン状態となり、指が離されると自動復帰してオフ状態になる。
【００２６】
図２に示すように、本体ケース１１の胴部１１ａ内の基端部よりには、空気供給手段及び空気制御手段としての電磁弁ユニット１５が設けられている。
電磁弁ユニット１５は、空気供給手段を構成する電磁弁１６と、電磁弁１６を駆動制御する空気制御手段を構成する電磁弁制御回路部１７を備えている。電磁弁１６は、その一端（上流側）に空気導入ホース１８が接続されている。空気導入ホース１８は、本体ケース１１の把手１１ｂ内を通って除電除塵装置１０の外部に設けた空気供給源１９に接続されている。空気供給源１９は、圧縮ポンプ及び蓄圧器等で構成され一定圧力の空気を供給する。従って、電磁弁ユニット１５（電磁弁１６）には、空気導入ホース１８を介して、常に一定圧力の空気が空気供給源１９から供給されるようになっている。
【００２７】
電磁弁１６の他端（下流側）には、空気流路管２０の基端部が連結され、その空気流路管２０の先端部は胴部１１ａの吐出口１２に取着した導電部材よりなる金属製のノズルＮと連結されている。従って、電磁弁ユニット１５（電磁弁１６）は、空気導入ホース１８を介して、空気供給源１９から供給される一定圧力の空気を、空気流路管２０を介して、ノズルＮから噴出させることができる。
【００２８】
詳述すると、電磁弁ユニット１５の電磁弁制御回路部１７は、電磁弁１６を駆動して電磁弁１６を開状態にすると、空気供給源１９からの一定圧力の空気を空気流路管２０に送出してノズルＮから噴出させる状態（第１状態）にすることができる。反対に、電磁弁制御回路部１７は、電磁弁１６を駆動して電磁弁１６を閉状態にすると、空気供給源１９からの一定圧力の空気を遮断し、ノズルＮから該空気の噴出を停止させる状態（第２状態）にすることができる。
【００２９】
ノズルＮは、その内側面に絶縁部材よりなる円筒状の絶縁体２１が取着されている。従って、円筒状の絶縁体２１の内側を、空気流路管２０から送出された空気が流れる。
空気流路管２０内であって絶縁体２１の近傍位置には、放電針２２が配置されている。放電針２２は、絶縁体よりなる間隔保持部材２３を介して空気流路管２０に支持固定されているとともに、空気流路管２０に対して電気的に絶縁されている。また、電磁弁１６から送出される空気は間隔保持部材２３で形成された空気流路管２０と放電針２２との間を介してノズルＮに流れるようになっている。
【００３０】
そして、放電針２２とノズルＮとの間に高電圧の交流の放電電圧Ｖが印加されると、放電針２２とノズルＮとの間にコロナ放電が発生し、このコロナ放電によりノズルＮ及び空気流路管２０内にある空気がプラス又はマイナスにイオン化されるようになっている。本実施形態では、ノズルＮ及び空気流路管２０内をイオン生成室２４とする。従って、電磁弁１６が閉状態にある時、即ち第２状態の時に、放電針２２とノズルＮとの間に高電圧の交流電圧が印加されると、イオン生成室２４内にプラス又はマイナスにイオン化された空気が生成され滞留する。そして、イオン生成室２４内に生成されたイオン化された空気が滞留している状態（第２状態）から電磁弁１６を開状態にすると、電磁弁ユニット１５（電磁弁１６）から一定圧力の空気が空気流路管２０（イオン生成室２４）内に送出される（第１状態）。これによって、イオン生成室２４内に滞留していたイオン化された全ての空気は、ノズルＮから除電除塵対象物に向かって噴出される。
【００３１】
本体ケース１１の胴部１１ａ内には、電圧印加手段としての放電電圧生成ユニット２５が設けられている。放電電圧生成ユニット２５は、圧電トランス２６と、圧電トランス２６を駆動制御する放電制御回路部２７を備えている。放電制御回路部２７は、本体ケース１１の把手１１ｂ内を通って伸びる配線２８を介して除電除塵装置１０の外部に設けた電圧電源２９に接続されている。放電制御回路部２７は、電圧電源２９からの電源電圧を圧電トランス２６に供給制御して、圧電トランス２６から高周波高電圧の放電電圧Ｖを放電針２２とノズルＮとの間に印加制御するようになっている。
【００３２】
本体ケース１１の胴部１１ａ内には、照光ランプＬを点灯制御するための表示制御ユニット３０が設けられている。表示制御ユニット３０は、異常判定回路部３１（図３参照）及び表示制御回路部３２（図３参照）を備えている。表示制御ユニット３０は、電磁弁１６の異常及び圧電トランス２６の異常を判定し、異常と判定したとき、照光ランプＬの表示態様を通常の表示態様と異なる表示態様に変更させて、ユーザに報知するようになっている。
【００３３】
なお、除電除塵装置１０の外部に設けた電圧電源２９は、電磁弁ユニット１５及び表示制御ユニット３０にも電源電圧を供給している。
次に、上記のように構成した除電除塵装置１０の電気的構成について説明する。
【００３４】
図３において、放電電圧生成ユニット２５に設けられた放電制御回路部２７は、トリガースイッチＳＷ３と接続され、トリガースイッチＳＷ３からオン・オフの起動制御信号ＳＧ１を入力する。放電制御回路部２７は、トリガースイッチＳＷ３のオンに応答して、即ち、図４（ａ）に示すように起動制御信号ＳＧ１がオフからオンに立ち上がる時の立ち上がり信号に応答して、図４（ｂ）に示すように圧電トランス２６の一次端子に高周波電圧を印加し、同圧電トランス２６の２次端子から高周波高電圧の放電電圧Ｖを放電針２２とノズルＮ間に印加する。このとき、トリガースイッチＳＷ３がオンしている間、放電制御回路部２７は、圧電トランス２６を介して高周波高電圧の放電電圧Ｖを放電針２２とノズルＮ間に印加する。
【００３５】
そして、トリガースイッチＳＷ３がオフすると、即ち、図４（ａ）に示すように起動制御信号ＳＧ１がオンからオフに立ち下がる時の立ち下がり信号に応答して、放電制御回路部２７は、図４（ｂ）に示すように放電針２２とノズルＮ間への放電電圧Ｖの印加を停止する。
【００３６】
電磁弁ユニット１５に設けられた電磁弁制御回路部１７は、間欠モード設定スイッチＳＷ１からの選択信号を入力する。間欠モード設定スイッチＳＷ１は、電磁弁１６の間欠開閉動作の条件、即ち、デューティー比を設定するスイッチである。本実施形態では、図４（ｃ）（ｄ）に示すように、第１間欠モードと第２間欠モードの２通りのデューティーが設定できるようになっている。
【００３７】
詳述すると、図４（ｃ）に示す第１間欠モードにおけるタイミング信号ＳＧ２は、周期Ｔに対するパルス幅Ｔ１（電磁弁１６が開状態にある時間）が、図４（ｄ）に示す第２間欠モードにおけるタイミング信号ＳＧ２の、周期Ｔに対するパルス幅Ｔ２（電磁弁１６が開状態にある時間）より長く設定されている。
【００３８】
また、電磁弁制御回路部１７は、トリガースイッチＳＷ３と接続され、トリガースイッチＳＷ３からオン・オフの起動制御信号ＳＧ１を入力する。電磁弁制御回路部１７は、トリガースイッチＳＷ３のオンに応答して、即ち、図４（ａ）に示すように起動制御信号ＳＧ１がオフからオンに立ち上がる時の立ち上がり信号に応答して、間欠モード設定スイッチＳＷ１で選択した第１間欠モードまたは第２間欠モードのデューティーで、電磁弁１６の開閉動作を開始させるようになっている。
【００３９】
つまり、吹き付ける時間を長くして一定の量イオン化された空気を吹き付けて除電除塵したい場合には、間欠モード設定スイッチＳＷ１にて第１間欠モードが選択される。また、吹き付ける時間を小刻みにして大量にイオン化された空気を吹き付けて除電除塵したい場合には、間欠モード設定スイッチＳＷ１にて第２間欠モードが選択される。
【００４０】
また、電磁弁制御回路部１７は、トリガースイッチＳＷ３がオンからオフになると、即ち、図４（ａ）（ｃ）（ｄ）に示すように、起動制御信号ＳＧ１がオフに立ち下がる時の立ち下がり信号に応答して、その立ち下がりから予め設定した時間Ｔｘの間、電磁弁１６を開状態にした後、閉状態にするタイミング信号ＳＧ２（補助タイミング信号ＳＧ２ａ）を新たに生成し電磁弁１６も出力する。
【００４１】
詳述すると、例えば、図４（ｃ）に示すように、起動制御信号ＳＧ１がオフに立ち下がった時点において、タイミング信号ＳＧ２にて電磁弁１６が開状態を継続している時、電磁弁制御回路部１７は、その立ち下がった時点から予め設定した時間Ｔｘ経過後に電磁弁１６を閉状態にするタイミング信号ＳＧ２（補助タイミング信号ＳＧ２ａ）を新たに生成する。
【００４２】
また、図４（ｄ）に示すように、起動制御信号ＳＧ１がオンからオフに立ち下がった時点において、電磁弁制御回路部１７は、タイミング信号ＳＧ２にて電磁弁１６が閉状態を継続している時、立ち下がった時点から電磁弁１６を開状態にして予め設定した時間Ｔｘ経過後に電磁弁１６を閉弁するタイミング信号ＳＧ２（補助タイミング信号ＳＧ２ａ）を新たに生成する。
【００４３】
つまり、補助タイミング信号ＳＧ２ａを生成し、トリガースイッチＳＷ３のオフとともに空気のイオン化生成が停止されても、そのまま電磁弁１６を閉状態にしないで、予め設定した時間Ｔｘ、電磁弁１６を開状態に保持する。そして、その間、イオン生成室２４内に生成されて滞留しているイオン化された全ての空気を、イオン生成室２４から吐出口１２を介して吐出させるようにしている。
【００４４】
従って、トリガースイッチＳＷ３をオフさせて、除電除塵装置１０による除電除塵対象物に付着した塵の除去作業を終了した時、イオン生成室２４内にイオン化された空気が滞留していることはない。従って、イオン生成室２４内にイオン化された空気が滞留していることによって、除電除塵装置１０内の樹脂または金属からなる各種構成部品等を劣化・腐食させることはない。
【００４５】
表示制御ユニット３０に設けられた異常判定回路部３１は、トリガースイッチＳＷ３と接続され、トリガースイッチＳＷ３からオン・オフの起動制御信号ＳＧ１を入力する。異常判定回路部３１は、トリガースイッチＳＷ３のオンに応答して、即ち、図５（ａ）に示すように起動制御信号ＳＧ１がオフからオンに立ち上がる時の立ち上がり信号に応答して、異常判定動作を開始する。そして、トリガースイッチＳＷ３がオフすると、即ち、図５（ａ）に示すように起動制御信号ＳＧ１がオンからオフに立ち下がる時の立ち下がり信号に応答して、異常判定回路部３１は、異常判定動作を停止する。
【００４６】
異常判定回路部３１は、放電異常検出回路３３に接続されている。放電異常検出回路３３は、放電針２２とノズルＮとの間にかかる放電電圧Ｖを検出抵抗Ｒに流れる電流値から検出しその検出結果を異常判定回路部３１に出力する。異常判定回路部３１は、放電異常検出回路３３が検出した放電針２２とノズルＮとの間にかかる電圧値に基づいて、何らかの原因で、図５（ｂ）に示すように、途中で放電針２２とノズルＮ間に放電電圧Ｖが印加されなくなったとき、イオン化された空気が生成されていないとして、図５（ｃ）に示す、放電異常信号ＳＧ３を、表示制御回路部３２に出力するようになっている。
【００４７】
表示制御回路部３２は、点灯モード設定スイッチＳＷ２からの選択信号を入力する。点灯モード設定スイッチＳＷ２は、照光ランプＬの点灯条件を設定するスイッチである。本実施形態では、図５（ｄ）（ｅ）（ｆ）に示すように、第１報知モード、第２報知モード及び第３報知モードの３通りのモードが設定できるようになっている。
【００４８】
詳述すると、図５（ｄ）に示す第１報知モードは、異常判定回路部３１から放電異常信号ＳＧ３が出力されている間、照光ランプＬを点灯させるモードである。図５（ｅ）に示す第２報知モードは、放電異常信号ＳＧ３が出力されていない間、照光ランプＬを点灯させ、放電異常信号ＳＧ３が出力されると照光ランプＬを消灯させるモードである。図５（ｆ）に示す第３報知モードは、放電異常信号ＳＧ３が出力されていないときには照光ランプＬを点灯時間が長い点滅動作をさせ、放電異常信号ＳＧ３が出力されるときには照光ランプＬを点灯時間が短くかつ周期が短い点滅動作を消灯させるモードである。
【００４９】
このように、表示制御回路部３２は、異常判定回路部３１からの放電異常信号ＳＧ３と点灯モード設定スイッチＳＷ２からの選択信号に基づいて、照光ランプＬを各種モードに点灯制御する。従って、図５（ｄ）に示す第１報知モードでは、照光ランプＬが点灯することで異常を確認することができる。また、図５（ｅ）に示す第２報知モードでは、点灯していた照光ランプＬが消えることで異常を確認することができる。さらに、図５（ｆ）に示す第３報知モードでは、照光ランプＬの点滅周期が短くなることで異常を確認することができる。
【００５０】
次に、上記のように構成した実施形態の効果を以下に記載する。
（１）上記実施形態によれば、トリガー１４をオン操作することによって、放電電圧生成ユニット２５（放電制御回路部２７）にて放電針２２とノズルＮ間に放電電圧Ｖが印加されイオン生成室２４にイオン化した空気を生成した。また、これと同時に、電磁弁ユニット１５（電磁弁制御回路部１７）にて電磁弁１６を、間欠モード設定スイッチＳＷ１で設定したデューティー比で、開閉動作させるようにした。
【００５１】
従って、イオン化された空気を、周期的に強弱を加えて除電除塵対象物に吹き付けることができ、除電除塵対象物に付着した塵を効率よく除去することができる。
（２）上記実施形態によれば、トリガー１４のオフ操作に応答して、即ち、起動制御信号ＳＧ１の立ち下がり信号に応答して、放電電圧生成ユニット２５（放電制御回路部２７）にて放電針２２とノズルＮ間への放電電圧Ｖの印加を停止した。このとき、起動制御信号ＳＧ１の立ち下がり信号に応答して、電磁弁ユニット１５（電磁弁制御回路部１７）は、補助タイミング信号ＳＧ２ａを生成し、電磁弁１６を予め設定した時間Ｔｘの間、開状態にした後、閉状態にするようにした。
【００５２】
つまり、トリガー１４のオフ操作に応答して、放電針２２とノズルＮ間への放電電圧Ｖの停止とともに、電磁弁１６を、閉状態にあったなら開状態にして、また、閉状態にあったならそのまま動作を終了させないで、予め設定した時間Ｔｘ、電磁弁１６を、開状態した。
【００５３】
従って、放電終了時においてイオン生成室２４に残っているイオン化された空気は、予め設定した時間Ｔｘ、電磁弁１６を開状態したことにより、ノズルＮから吐出されて、イオン生成室２４残されることはない。その結果、イオン生成室２４内にイオン化した空気が残らないことから、イオン化した空気（オゾン）が除電除塵装置１０内に設けた樹脂または金属からなる構成部品を劣化・腐食させることがない。
【００５４】
（３）上記実施形態によれば、電磁弁ユニット１５（電磁弁制御回路部１７）は、１種類の予め設定した時間Ｔｘのパルス幅の補助タイミング信号ＳＧ２ａを、トリガー１４をオフ操作に応答する毎に出力するだけなので、イオン生成室２４内にイオン化した空気を除去するための回路構成が簡単な構成で実現でき、電磁弁制御回路部１７の負荷も軽減される。
【００５５】
（４）上記実施形態によれば、間欠モード設定スイッチＳＷ１を設け、イオン化した空気を吹き付ける時間を長くしたり、小刻みにすることができるようにした。従って、除電除塵対象物に付着する塵に応じた最適な除電除塵を行うことができる。
【００５６】
（５）上記実施形態によれば、胴部１１ａに、印加する放電電圧Ｖに異常が生じたときに、その異常を報知する照光ランプＬを設けた。そして、照光ランプＬは、ノズルＮから噴射したイオン化した空気を除電除塵対象物に吹き付けるとき、その除電除塵対象物の吹き付け箇所にその可視光線が照射されるように配置した。
【００５７】
従って、除電除塵作業中に、ユーザは、除電除塵対象物のイオン化された空気が直接吹き付け箇所を注視しているため、照光ランプＬの表示の態様の変化を見逃すことなく異常を確認でき、異常解消のための対策を速やかに実行することができる。
【００５８】
詳述すると、第１報知モードでは、照光ランプＬが点灯することで異常を確認することができる。また、第２報知モードでは、点灯していた照光ランプＬが消えることで異常を確認することができる。この第２報知モードでは、正常時には、除電除塵対象物の吹き付け箇所に、照光ランプＬからの可視光線が常時照射されるので、除塵状況を視認しやすい。さらに、第３報知モードでは、照光ランプＬの点滅周期が短くなることで異常を確認することができる。
【００５９】
尚、上記実施形態は以下のように変更してもよい。
・上記実施形態では、トリガー１４をオフ操作（起動制御信号ＳＧ１の立ち下がり信号）に応答して、電磁弁制御回路部１７は、補助タイミング信号ＳＧ２ａを生成して、電磁弁１６を一定時間Ｔｘ開状態にして、イオン生成室２４に残っているイオン化された空気をノズルＮから吐出させるようにした。
【００６０】
これを、図６に示すように、トリガー１４をオフ操作した時（起動制御信号ＳＧ１の立ち下がった時）、電磁弁制御回路部１７は、電磁弁１６が開状態にあっても（図６（ｃ）参照）または閉状態にあっても（図６（ｄ）参照）、次の周期の電磁弁１６の開閉動作を１回行って、空気の間欠吹き付け動作を終了させてもよい。尚、場合によっては複数回行って終了してもよい。
【００６１】
また、図７に示すように、トリガー１４をオフ操作した時（起動制御信号ＳＧ１の立ち下がった時）、電磁弁制御回路部１７は、電磁弁１６が開状態にある時には（図７（ｃ）参照）、直ちに、電磁弁１６が閉状態にした空気の間欠吹き付け動作を終了させる。反対に、電磁弁１６が閉状態にある時には（図７（ｄ）参照）、電磁弁制御回路部１７は、起動制御信号ＳＧ１の立ち下がり信号に応答して、タイミング信号ＳＧ２を出力して１周期分の電磁弁１６の開閉動作を行って、空気の間欠吹き付け動作を終了させてもよい。
【００６２】
・上記実施形態では、トリガー１４をオン操作（起動制御信号ＳＧ１の立ち上がり信号）に応答して、電磁弁制御回路部１７は、タイミング信号ＳＧ２を出力して、間欠モード設定スイッチＳＷ１で設定した間欠モード（デューティー比）で、電磁弁１６を、開閉動作するようにした。つまり、電磁弁１６の開閉動作は、各周期において最初に開状態にしてその後に閉状態にするものであった。
【００６３】
これを、図８に示すように、電磁弁制御回路部１７は、電磁弁１６の開閉動作を、各周期において最初に閉状態にしてその後に開状態にするように、タイミング信号ＳＧ２を生成して実施する。そして、電磁弁制御回路部１７は、トリガー１４をオフ操作した時（起動制御信号ＳＧ１の立ち下がった時）、その時の周期における電磁弁１６の動作制御が終了するまで電磁弁１６を開状態にして、空気の間欠吹き付け動作を終了させるように実施してもよい。
【００６４】
・上記実施形態では、トリガー１４のオフ操作に基づくトリガースイッチＳＷ３の起動制御信号ＳＧ１の立ち下がり信号に基づいて、電磁弁制御回路部１７は、補助タイミング信号ＳＧ２ａを生成した。
【００６５】
これを、トリガー１４のオフ操作をしたとき、トリガー１４が完全に復帰位置に位置したことを検知する新たなトリガースイッチを設ける。これにより、トリガー１４のオフ操作をしたとき、図９（ａ）に示すように、まずトリガースイッチＳＷ３の起動制御信号ＳＧ１が立ち下がる。時間をおいて、トリガー１４が完全に復帰位置に復帰すると、図９（ｂ）に示すように、新たなトリガースイッチから補助起動制御信号ＳＧ１ａを出力するようにする。
【００６６】
そして、電磁弁制御回路部１７は、補助起動制御信号ＳＧ１ａを入力し、該補助起動制御信号ＳＧ１ａに応答して補助タイミング信号ＳＧ２ａを生成して、電磁弁１６を一定時間Ｔｘ開状態にして、イオン生成室２４に残っているイオン化された空気を吐出口１２から吐出させるように実施してもよい。
【００６７】
・上記実施形態では、トリガー１４のオフ操作に基づくトリガースイッチＳＷ３の起動制御信号ＳＧ１の立ち下がり信号に基づいて、電圧印加手段を構成する放電制御回路部２７は、放電電圧Ｖの印加を停止するようにした。これを、図１０（ａ）に示すように、起動制御信号ＳＧ１が立ち下がった際、図１０（ｃ）に示すように、１周期分の開状態が終了した時（タイミング信号ＳＧ２がオフになった時）、図１０（ｂ）に示すように、放電電圧Ｖの印加を停止するように実施してもよい。
【００６８】
・上記実施形態では、電磁弁１６の開閉動作は、周期Ｔを一定にしてデューティー制御であったが、周期Ｔを変更する電磁弁１６の開閉制御であってもよい。
・上記実施形態では、間欠モード設定スイッチＳＷ１にて第１間欠モードと第２間欠モードの２種類のイオン化された空気の吹き出しモードを設定することができたが、１種類のみ、または３種類以上設定できるようにして実施してもよい。また、デューティー比が１００％、即ち、連続吹き付けモードも設定できるように実施してもよい。
【００６９】
・上記実施形態では、照光ランプＬは、図５（ｄ）（ｅ）（ｆ）に示すように、トリガースイッチＳＷ３がオン状態において、点灯制御されるようにした。これを、トリガー１４（トリガースイッチＳＷ３がオン状態）のオン操作に関係なく除電除塵装置１０に電源を投入して立ち上げた時から、点灯制御するようにしてもよい。例えば、常には、照明のために照光ランプＬを点灯状態にし、異常が発生したとき、照光ランプＬを点滅状態に制御する。また、常には、照光ランプＬを消灯状態にし、異常が発生したとき、照光ランプＬを点滅状態に制御する。
【００７０】
・上記実施形態では、手で持って、除電除塵対象物に向けてイオン化した空気を吹き付ける、いわゆる、ガン（ピストル）タイプの除電除塵装置に具体化したが、これに限定されるものではなく、周期的に強弱を加えたイオン化された空気を除電除塵対象物に吹き付けて塵を除去する除電除塵装置であればなんでもよい。例えば、ボックス状の除電除塵室を有し、その除電除塵室に除電除塵対象物を配置すると、その除電除塵対象物の配置を検出して、除電除塵対象物に向けて周期的に強弱を加えたイオン化した空気を吹き付けて、除塵するボックスタイプの除電除塵装置におうようしてもよい。
【００７１】
・上記実施形態では、ノズルＮの噴射口は、ストレートの貫通穴よりなる１つ噴射口であったが、これに限定されるものではなく、例えば、内径の短い噴射口を複数形成して、シャワーのように各噴射口から空気を噴射するタイプにノズル等を使用して実施せてもよい。
【図面の簡単な説明】
【００７２】
【図１】除電除塵装置の斜視図。
【図２】除電除塵装置の断面図。
【図３】除電除塵装置の電気的構成を説明するための電気ブロック回路図。
【図４】除電除塵装置の電磁弁の開閉動作を説明するためのタイムチャートであって、（ａ）はトリガー信号のタイムチャート、（ｂ）は放電電圧のタイムチャート、（ｃ）は第１間欠モードにおけるタイミング信号と補助タイミング信号のタイミングチャート、（ｄ）は第２間欠モードにおけるタイミング信号と補助タイミング信号のタイミングチャート。
【図５】除電除塵装置の照光ランプＬの点灯動作を説明するためのタイムチャートであって、（ａ）はトリガー信号のタイムチャート、（ｂ）は放電電圧のタイムチャート、（ｃ）は異常信号のタイミングチャート、（ｄ）は第１点灯モードにおけるタイミング信号のタイミングチャート、（ｅ）は第２点灯モードにおけるタイミング信号のタイミングチャート、（ｆ）は第２点灯モードにおけるタイミング信号のタイミングチャート。
【図６】除電除塵装置の電磁弁の開閉動作の別例を説明するためのタイムチャートであって、（ａ）はトリガー信号のタイムチャート、（ｂ）は放電電圧のタイムチャート、（ｃ）は第１間欠モードにおけるタイミング信号と補助タイミング信号のタイミングチャート、（ｄ）は第２間欠モードにおけるタイミング信号と補助タイミング信号のタイミングチャート。
【図７】除電除塵装置の電磁弁の開閉動作の別例を説明するためのタイムチャートであって、（ａ）はトリガー信号のタイムチャート、（ｂ）は放電電圧のタイムチャート、（ｃ）は第１間欠モードにおけるタイミング信号のタイミングチャート、（ｄ）は第２間欠モードにおけるタイミング信号と補助タイミング信号のタイミングチャート。
【図８】除電除塵装置の電磁弁の開閉動作の別例を説明するためのタイムチャートであって、（ａ）はトリガー信号のタイムチャート、（ｂ）は放電電圧のタイムチャート、（ｃ）、（ｄ）は各間欠モードにおけるタイミング信号と補助タイミング信号のタイミングチャート。
【図９】除電除塵装置の電磁弁の開閉動作の別例を説明するためのタイムチャートであって、（ａ）はトリガー信号のタイムチャート、（ｂ）は補助トリガー信号のタイムチャート、（ｃ）は放電電圧のタイムチャート、（ｄ）は第１間欠モードにおけるタイミング信号のタイミングチャート、（ｅ）は第２間欠モードにおけるタイミング信号と補助タイミング信号のタイミングチャート。
【図１０】除電除塵装置の電磁弁の開閉動作の別例を説明するためのタイムチャートであって、（ａ）はトリガー信号のタイムチャート、（ｂ）は放電電圧のタイムチャート、（ｃ）はタイミング信号のタイミングチャート。
【図１１】従来の除電除塵装置の電磁弁の開閉動作を説明するためのタイムチャートであって、（ａ）はトリガー信号のタイムチャート、（ｂ）は放電電圧のタイムチャート、（ｃ）はタイミング信号のタイミングチャート。
【図１２】従来の除電除塵装置の電磁弁の開閉動作を説明するためのタイムチャートであって、（ａ）はトリガー信号のタイムチャート、（ｂ）は放電電圧のタイムチャート、（ｃ）はタイミング信号のタイミングチャート。
【符号の説明】
【００７３】
１０…除電除塵装置、１１…本体ケース、１１ａ…胴部、１１ｂ…把手、１２…吐出口、１４…トリガー、１５…電磁ユニット、１６…電磁弁、１７…電磁弁制御回路部、１８…空気導入ホース、１９…空気供給源、２０…空気流路管、２１…絶縁体、２２…放電針、２４…イオン生成室、２５…放電電圧生成ユニット、２６…圧電トランス、２７…放電制御回路部、３０…表示制御ユニット、３１…異常判定回路部、３２…表示制御回路部、３３…検出回路、Ｌ…照光ランプ、Ｎ…ノズル、ＳＷ１…間欠モード設定スイッチ、ＳＷ２…点灯モード設定スイッチ、ＳＷ３…トリガースイッチ、Ｖ…放電電圧。
【図１】
2010000484.tif 000003
【図２】
2010000484.tif 000004
【図３】
2010000484.tif 000005
【図４】
2010000484.tif 000006
【図５】
2010000484.tif 000007
【図６】
2010000484.tif 000008
【図７】
2010000484.tif 000009
【図８】
2010000484.tif 000010
【図９】
2010000484.tif 000011
【図１０】
2010000484.tif 000012
【図１１】
2010000484.tif 000013
【図１２】
2010000484.tif 000014